【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
撮影準備のための所定の操作入力を受け付けて撮像手段により撮影準備を行わせ、撮影動作のための所定の操作入力に応じて前記撮像手段により静止画の撮影を行わせる画像処理装置であって、
前記撮像手段より得られる画像に対して、設定された方向に画面加工効果を施す画像処理手段と、
前記画像処理装置の角度に応じて、前記画像処理手段により画像に施される画面加工効果の方向を設定する設定手段と、
前記撮影準備のための所定の操作入力が続いている場合には、前記画像処理装置の角度にかかわらず、前記設定手段により前記画面加工効果の方向の設定が変更されないように制御する制御手段と、を有することを特徴とする画像処理装置。
【請求項２】
前記撮像手段より得られ、前記画像処理手段により前記画面加工効果を施された画像を順次、前記表示手段に表示させる表示手段を有することを特徴とする請求項１に記載の画像処理装置。
【請求項３】
前記画像処理手段の施す前記画面加工効果は、前記設定手段により設定される方向に、第１の領域と前記第１の領域よりもぼけた第２の領域とを有する画像が生成されるように、画像をぼかす処理であることを特徴とする請求項１または２のいずれか１つに記載の画像処理装置。
【請求項４】
前記画像処理手段の施す前記画面加工効果は、ジオラマ風画像処理であることを特徴とする請求項１乃至３のいずれか１つに記載の画像処理装置。
【請求項５】
前記画像処理手段の施す前記画面加工効果は、前記設定手段により設定される方向に従って、画像の水平方向あるいは垂直方向に帯状にぼかす領域とぼかさない領域を有する画像が生成されるように、画像をぼかす処理であることを特徴とする請求項１乃至４のいずれか１つに記載の画像処理装置。
【請求項６】
前記画像処理手段の施す前記画面加工効果は、色合いまたは明るさを変化させる処理であることを特徴とする請求項１または２に記載の画像処理装置。
【請求項７】
撮影準備のための所定の操作入力を受け付けて撮像手段により撮影準備を行わせ、撮影動作のための所定の操作入力に応じて前記撮像手段により静止画の撮影を行わせる画像処理装置であって、
前記撮像手段より得られる画像に対して、所定の方向に第１の領域と前記第１の領域よりもぼけた第２の領域とを有する画像が生成されるように画像処理を施す画像処理手段と、前記画像処理装置の角度に応じて、前記所定の方向を設定する設定手段と、
前記撮影準備のための所定の操作入力が続いている場合には、前記画像処理装置の角度にかかわらず、前記設定手段により前記所定の方向の設定が変更されないように制御する制御手段と、を有することを特徴とする画像処理装置。
【請求項８】
前記画像処理装置が水平状態であるか垂直状態であるかを検出する検出手段を有することを特徴とする請求項１乃至７のいずれか１つに記載の画像処理装置。
【請求項９】
前記画像処理装置の角度を検出する検出手段を有することを特徴とする請求項１乃至８のいずれか１つに記載の画像処理装置。
【請求項１０】
前記制御手段は、前記表示手段に前記画像処理手段の画像処理に対応する枠を表示させることを特徴とする請求項１乃至９のいずれか１つに記載の画像処理装置。
【請求項１１】
前記撮影された静止画を記録するとともに、前記設定手段により設定された方向を記録する記録手段をさらに有することを特徴とする請求項１乃至１０のいずれか１つに記載の画像処理装置。
【請求項１２】
前記撮影準備とは、前記撮像手段の焦点、絞り値、シャッタースピード、の少なくとも１つを設定する動作であることを特徴とする請求項１乃至１１のいずれか１つに記載の画像処理装置。
【請求項１３】
前記撮影準備とは、オートフォーカス処理、自動露出処理、ホワイトバランス処理の少なくとも１つを実行する動作であることを特徴とする請求項１乃至１２のいずれか１つに記載の画像処理装置。
【請求項１４】
前記画像処理手段は、前記撮像手段より得られる画像にぼけ画像処理を施したぼけ画像を生成し、前記設定手段により設定される方向に従って前記撮像手段より得られる画像と前記ぼけ画像を合成することを特徴とする請求項１乃至１３のいずれか１つに記載の画像処理装置。
【請求項１５】
前記画像処理手段は、前記ぼけ画像処理を、前記撮像手段より得られる画像を縮小し、さらに拡大することで行うことを特徴とする請求項１４に記載の画像処理装置。
【請求項１６】
撮像手段より得られる撮影画像を順次表示する表示手段を有する画像処理装置であって、
前記撮像手段より得られる画像に対して、所定の方向に第１の領域と前記第１の領域よりもぼけた第２の領域とを有する画像が生成されるように画像処理を施す画像処理手段と、
前記画像処理装置の角度に応じて、前記所定の方向を設定する設定手段と、
所定の操作入力がある場合には、前記画像処理装置の角度にかかわらず、前記設定手段により前記所定の方向の設定が変更されないように制御する制御手段と、を有することを特徴とする画像処理装置。
【請求項１７】
撮像手段より得られる撮影画像を順次表示する表示手段を有する画像処理装置であって、
前記撮像手段より得られる画像に対して、所定の方向をもつ画像を貼り付ける処理を施す画像処理手段と、
前記画像処理装置の角度に応じて、前記所定の方向を設定する設定手段と、
所定の操作入力がある場合には、前記画像処理装置の角度にかかわらず、前記設定手段により前記所定の方向の設定が変更されないように制御する制御手段と、を有することを特徴とする画像処理装置。
【請求項１８】
撮像手段より得られる撮影画像を順次表示する表示手段を有する画像処理装置であって、
前記撮像手段より得られる画像に対して、所定の方向の合成処理を施す画像処理を施す画像処理手段と、
前記画像処理装置の角度に応じて、前記所定の方向を設定する設定手段と、
所定の操作入力がある場合には、前記画像処理装置の角度にかかわらず、前記設定手段により前記所定の方向の設定が変更されないように制御する制御手段と、を有することを特徴とする画像処理装置。
【請求項１９】
前記制御手段は、前記所定の操作入力に応じて、前記撮像手段の撮影条件の設定を行うことを特徴とする請求項１６乃至１８のいずれか１つに記載の画像処理装置。
【請求項２０】
撮影条件の設定を含む撮影準備の操作入力を受け付けて撮影条件の設定を行い、撮影動作の操作入力に応じて撮像手段により静止画の撮影を行わせる画像処理装置の制御方法であって、
画像処理手段が、前記撮像手段より得られる画像に対して、設定された方向に画面加工効果を施す画像処理ステップと、
前記画像処理装置の角度に応じて、前記画像処理手段により画像に施される画面加工効果の方向を設定する設定ステップと、を有し、
前記設定ステップでは、前記撮影準備の操作入力が続いている場合には、前記画像処理装置の角度にかかわらず、前記画面加工効果の方向の設定が変更されないことを特徴とする画像処理装置の制御方法。
【請求項２１】
撮影準備のための所定の操作入力を受け付けて撮像手段により撮影準備を行わせ、撮影動作のための所定の操作入力に応じて前記撮像手段により静止画の撮影を行わせる画像処理装置の制御方法であって、
画像処理手段が、前記撮像手段より得られる画像に対して、所定の方向に第１の領域と前記第１の領域よりもぼけた第２の領域とを有する画像が生成されるように画像処理を施す画像処理ステップと、
前記画像処理装置の角度に応じて、前記所定の方向を設定する設定ステップと、を有し、
前記設定ステップでは、前記撮影準備のための所定の操作入力が続いている場合には、前記画像処理装置の角度にかかわらず、前記所定の方向の設定が変更されないことを特徴とする画像処理装置の制御方法。
【請求項２２】
撮像手段より得られる撮影画像を順次表示する表示手段を有する画像処理装置の制御方法であって、
画像処理手段が、前記表示手段に順次表示される画像に対して、設定された方向に画面加工効果を施す画像処理ステップと、
前記画像処理装置の角度に応じて、前記画像処理手段により画像に施される画面加工効果の方向を設定する設定ステップと、
前記設定ステップでは、所定の操作入力がある場合には、前記画像処理装置の角度にかかわらず、前記画面加工効果の方向の設定が変更されないことを特徴とする画像処理装置の制御方法。
【請求項２３】
撮像手段より得られる撮影画像を順次表示する表示手段を有する画像処理装置の制御方法であって、
画像処理手段が、前記撮像手段より得られる画像に対して、所定の方向をもつ画像を貼り付ける処理を施す画像処理手段と、
前記画像処理装置の角度に応じて、前記所定の方向を設定する設定ステップと、を有し、
前記設定ステップでは、所定の操作入力がある場合には、前記画像処理装置の角度にかかわらず、前記所定の方向の設定が変更されないことを特徴とする画像処理装置の制御方法。
【請求項２４】
撮像手段より得られる撮影画像を順次表示する表示手段を有する画像処理装置の制御方法であって、
前記画像処理手段が、前記撮像手段より得られる画像に対して、所定の方向の合成処理を施す画像処理を施す画像処理ステップと、
前記画像処理装置の角度に応じて、前記所定の方向を設定する設定ステップと、を有し
前記設定ステップでは、所定の操作入力がある場合には、前記画像処理装置の角度にかかわらず、前記所定の方向の設定が変更されないことを特徴とする画像処理装置の制御方法。
【手続補正２】
【補正対象書類名】明細書
【補正対象項目名】０００６
【補正方法】変更
【補正の内容】
【０００６】
本発明の画像処理装置は、撮影準備のための所定の操作入力を受け付けて撮像手段により撮影準備を行わせ、撮影動作のための所定の操作入力に応じて前記撮像手段により静止画の撮影を行わせる画像処理装置であって、前記撮像手段より得られる画像に対して、設定された方向に画面加工効果を施す画像処理手段と、前記画像処理装置の角度に応じて、前記画像処理手段により画像に施される画面加工効果の方向を設定する設定手段と、前記撮影準備のための所定の操作入力が続いている場合には、前記画像処理装置の角度にかかわらず、前記設定手段により前記画面加工効果の方向の設定が変更されないように制御する制御手段と、を有することを特徴とする。
また、本発明の画像処理装置は、撮影準備のための所定の操作入力を受け付けて撮像手段により撮影準備を行わせ、撮影動作のための所定の操作入力に応じて前記撮像手段により静止画の撮影を行わせる画像処理装置であって、前記撮像手段より得られる画像に対して、所定の方向に第１の領域と前記第１の領域よりもぼけた第２の領域とを有する画像が生成されるように画像処理を施す画像処理手段と、前記画像処理装置の角度に応じて、前記所定の方向を設定する設定手段と、前記撮影準備のための所定の操作入力が続いている場合には、前記画像処理装置の角度にかかわらず、前記設定手段により前記所定の方向の設定が変更されないように制御する制御手段と、を有することを特徴とする。
また、本発明の画像処理装置は、撮像手段より得られる撮影画像を順次表示する表示手段を有する画像処理装置であって、前記撮像手段より得られる画像に対して、所定の方向に第１の領域と前記第１の領域よりもぼけた第２の領域とを有する画像が生成されるように画像処理を施す画像処理手段と、前記画像処理装置の角度に応じて、前記所定の方向を設定する設定手段と、前記画像処理装置の角度にかかわらず、前記設定手段により前記所定の方向の設定が変更されないように制御する制御手段と、を有することを特徴とする。また、本発明の画像処理装置は、撮像手段より得られる撮影画像を順次表示する表示手段を有する画像処理装置であって、前記撮像手段より得られる画像に対して、所定の方向をもつ画像を貼り付ける処理を施す画像処理手段と、前記画像処理装置の角度に応じて、前記所定の方向を設定する設定手段と、所定の操作入力がある場合には、前記画像処理装置の角度にかかわらず、前記設定手段により前記所定の方向の設定が変更されないように制御する制御手段と、を有することを特徴とする。
また、本発明の画像処理装置は、撮像手段より得られる撮影画像を順次表示する表示手段を有する画像処理装置であって、前記撮像手段より得られる画像に対して、所定の方向の合成処理を施す画像処理を施す画像処理手段と、前記画像処理装置の角度に応じて、前記所定の方向を設定する設定手段と、所定の操作入力がある場合には、前記画像処理装置の角度にかかわらず、前記設定手段により前記所定の方向の設定が変更されないように制御する制御手段と、を有することを特徴とする。